(57)【要約】【課題】使い勝手が良くて汎用性に優れた吸盤式スタンド装置を提供する。【手段】吸盤式スタンド装置は、２つの吸盤本体１とこれらを繋ぐ棒状の連結具２とで構成されている。吸盤本体１は、吸着・吸着解除のためのレバー６と、連結具２の端部のボール部３が嵌まる凹部１１とを有する。凹部１１には、ボール部３の締め付け力を調節する摘まみ２３を設けている。連結具２は吸盤本体１に対して回転自在でかつ任意の姿勢に倒れる。このため、２つの吸着面の位置と姿勢とを任意に変更できる。被支持体の取り付けも吸着方式であるため、取り付け部が平滑面になっている物品であれば、重量が許す限り支持できる。【選択図】図１
2014066319.tif 000002
【特許請求の範囲】
【請求項１】
操作手段で吸着・吸着解除が行われる吸盤本体と、前記吸盤本体に設けた略棒状の連結具とを有しており、前記連結具を介して直接に又は間接的に被支持体が取り付けられる構成であって、
前記連結具は、軸心回りに回転自在でかつ任意の方向に倒れ得る状態で前記吸盤本体に取り付けられている、
吸盤式スタンド装置。
【請求項２】
前記連結具の端部をボール部に形成する一方、前記吸盤本体には前記連結具のボール部が嵌まる凹部を形成することにより、前記連結具が軸心回りに自在に回転して任意の方向に倒れることが許容されている、
請求項１に記載した吸盤式スタンド装置。
【請求項３】
前記連結具の一端と他端とにボール部を形成することにより、前記連結具の両端に同じ構造の前記吸盤本体が取り付けられており、一方の吸盤本体が設置場所に吸着で固定されて他方の吸盤本体に被支持体が吸着で取り付けられる、
請求項１又は２に記載した吸盤式スタンド装置。
【請求項４】
前記吸盤本体には、前記凹部に嵌まった連結具の挟み強度を摘まみ又はレバーで調節するクランプ手段が設けられている、
請求項２又は３に記載した吸盤式スタンド装置。
【請求項５】
前記吸盤本体は、取り付け箇所に重なる軟質材製の吸着板と、前記吸着板を覆うカップ体と、前記吸着板の中央部を取り付け箇所と反対側に引っ張るための回動式レバーとを有しており、
前記カップ体の外面に、当該カップ体の軸心を横切る方向に延びるランド部が突設されており、前記ランド部のうち前記カップ体の軸心部に位置した部位に、前記吸着板の中央部に固定されたスライド軸が往復動自在に保持されていると共に、前記スライド軸を往復動操作する回動式のレバーが取り付けられている一方、前記ランド部のうちカップ体の軸心から外側にずれた位置には前記凹所を形成している、
請求項２〜４のうちのいずれかに記載した吸盤式スタンド装置。
【発明の詳細な説明】
【技術分野】
【０００１】
本願発明は、様々な物品を支持できる吸盤式スタンド装置に関するものである。
【背景技術】
【０００２】
吸盤を使用したスタンド装置は多々提案されているが、いずれにしても、吸着機能を有する吸盤本体を必須の要素としており、この吸盤本体に設けた連結具で被支持体（各種物品）を直接に又は間接的に支持している。
【０００３】
その例として例えば特許文献１には、吸盤本体に上下首振り式の棒状連結具を取り付けて、連結具の先端部に被装着部を取り付け、被装着部に携帯型ナビゲーション装置等の物品を取り付けることが記載されている。特許文献２も同様であり、上下首振り式の連結具（第２回動部）に球状のピボットを介してモニタ取付部を取り付けている。従って、モニタ取付部（及びこれに取り付けられたモニタ）はピポット部が動く範囲で任意の姿勢に変化させることができる。類似した構成は特許文献３にも開示されている。
【先行技術文献】
【特許文献】
【０００４】
【特許文献１】特開平２０１１−１３７５０８号公報
【特許文献２】特開平２０１０−０７７９７７号公報
【特許文献３】意匠登録第１４００７１９号公報
【発明の概要】
【発明が解決しようとする課題】
【０００５】
さて、この種のスタンドを使用する場合、被支持体を任意の姿勢に変えたり位置をずらしたいという要望が強いが、いずれの特許文献も連結具は１本のピン（軸）で吸盤本体に連結されているに過ぎず、連結具はピンの軸心回りに上下の首振り運動をするだけであるため、被支持体の姿勢変更機能が低く、位置変更はできない。
【０００６】
この点、特許文献２ではモニタ取付部は球状のピボットで連結具に連結されているため、モニタ取付部の姿勢を任意の姿勢に変更することはできるが、モニタ取付部が動く範囲には限度があるため、例えば、モニタ取付部を使用者の方に寄せたい（左右方向に首振りさせたい）といった要望に応えることができなかった（モニタの位置をずらす場合は、吸盤本体の取り付け姿勢を変更せねばならない。）。
【０００７】
また、スタンド装置で支持する物品には様々の重さのものがあるが、従来のスタンド装置では、吸盤本体に対する連結具の保持力（摩擦抵抗）は一定であるため、支持する物品の重量がある程度以上に重くなると、物品の重量で連結具が倒れてしまう虞があった。
【０００８】
更に、特許文献１〜３を初めとして従来の吸盤式スタンド装置は、いずれも吸盤本体のみを設置場所に吸着で固定されるに過ぎず、被支持体はねじ止め等の非吸着手段で連結具や中間支持部材（特許文献２の場合はモニタ取付部）に固定されるため、被支持体の着脱操作が面倒であるのみならず、特定の物品しか支持できずに融通性が悪かった。すなわち、従来の吸盤式スタンド装置は着脱の容易性と汎用性とに欠けていた。
【０００９】
本願発明は、このような現状を改善すべく成されたものである。また、本願では吸盤本体の改良を多々開示しており、これらの改良点を有する吸盤本体を提供することも目的になりうる。
【課題を解決するための手段】
【００１０】
本願発明は、操作手段で吸着・吸着解除が行われる吸盤本体と、前記吸盤本体に設けた略棒状の連結具とを有しており、前記連結具を介して直接に又は間接的に被支持体が取り付けられる吸盤式スタンド装置に関する。そして請求項１の発明では、前記連結具は、軸心回りに回転自在でかつ任意の方向に倒れ得る状態で前記吸盤本体に取り付けられている点を特徴にしている。
【００１１】
請求項２の発明では、請求項１において、前記連結具の端部をボール部に形成する一方、前記吸盤本体には前記連結具のボール部が嵌まる凹部を形成することにより、前記連結具が軸心回りに自在に回転して任意の方向に倒れることが許容されている。
【００１２】
請求項３の発明は、請求項１又は２において、前記連結具の一端と他端とにボール部を形成することにより、前記連結具の両端に同じ構造の前記吸盤本体が取り付けられており、一方の吸盤本体が設置場所に吸着で固定されて他方の吸盤本体に被支持体が吸着で取り付けられる。請求項４の発明では、請求項２又は３において、前記吸盤本体には、前記凹部に嵌まった連結具の挟み強度を摘まみ又はレバーで調節するクランプ手段が設けられている。
【００１３】
請求項５の発明は吸盤本体を具体化したもので、請求項２〜４のうちのいずれかに、前記吸盤本体は、取り付け箇所に重なる軟質材製の吸着板と、前記吸着板を覆うカップ体と、前記吸着板の中央部を取り付け箇所と反対側に引っ張るための回動式レバーとを有しており、前記カップ体の外面に、当該カップ体の軸心を横切る方向に延びるランド部が突設されており、前記ランド部のうち前記カップ体の軸心部に位置した部位に、前記吸着板の中央部に固定されたスライド軸が往復動自在に保持されていると共に、前記スライド軸を往復動操作する回動式のレバーが取り付けられている一方、前記ランド部のうちカップ体の軸心から外側にずれた位置には前記凹所を形成している。
【００１４】
なお、請求項２以下の構成は独立した発明たり得るものであり、従って、例えば請求項３の場合、連結具の形態とは関係なく、２つの吸盤本体を使用した点を特徴として独立した発明たり得る。
【発明の効果】
【００１５】
本願発明では、連結具は吸盤本体に対して全方位に首振りするため、被支持体（物品）の姿勢や向き・位置を大きく変更できる。このため、非常に使い勝手が良くてユーザーフレンドリーである。
【００１６】
連結具を全方位に首振りさせる構成としては直交した２つの回動軸の組み合わせも採用可能であるが、請求項２のようにボール部と凹部との組み合わせを採用すると、構造がごく簡単になる利点がある。なお、請求項２では連結具にボール部を形成して吸盤本体に凹部を形成しているが、吸盤本体にボール部を突設して連結具に凹部を形成することも可能である。
【００１７】
請求項３も本願発明の大きな特徴であり、被支持体（物品）も吸盤本体に吸着で固定されるため、スタンド装置に対する取り付け面（一般に背面）が平滑面になっている物品であれば、重量が許す限り支持できる。例えばタブレット型コンピータ、スマートホン等の携帯式通信端末、電子書籍端末、携帯式カーナビ、小型テレビ、パソコン用小型モニタと言った電子機器も見やすい姿勢に簡単に支持できる。従って、汎用性を格段に向上させることができる。着脱もごく簡単である。
【００１８】
請求項４のようにクランプ手段を設けると、被支持体の重量に応じてクランプ体の締め付け力を調節することで、重量が大きい被支持体でも一定姿勢にしっかりと保持できる。従って、実用価値はきわめて大きい。なお、クランプ手段を緩めることで連結具を吸盤本体から取り外しできるように構成することも可能である。この場合は、連結具は単に吸盤本体の凹部に嵌め込むだけであるため構造がごく簡単になると共に取り付けも簡単であり、更に、異なる長さの連結具を用意しておくことで、被支持体の支持高さを変えることも可能になる。
【００１９】
請求項５の構成を採用すると、一連に延びるランド部に連結具はレバーとが取り付けられているため、吸盤本体のコンパクト化することができる。そして、レバー操作によって高い吸着力を確保できるため、コンパクトでありながら高い支持力を発揮できる。
【図面の簡単な説明】
【００２０】
【図１】（Ａ）は支持面を上向きにした状態での斜視図、（Ｂ）は上の吸盤本体の被支持体の吸着面を斜めにして下の吸盤本体のレバーを倒した状態での斜視図である。
【図２】（Ａ）は吸盤本体の単体での斜視図、（Ｂ）は連結具を取り付けた状態での吸盤本体の斜視図である。
【図３】（Ａ）は正面図、（Ｂ）は平面図である。
【図４】（Ａ）は背面図、（Ｂ）は吸盤本体のみの正面図、（Ｃ）は吸盤本体のみの平面図である。
【図５】（Ａ）は右側面図、（Ｂ）は左側面図、（Ｃ）はレバーを倒した状態での吸盤本体の正面図である。
【図６】（Ａ）は吸盤本体の縦断正面図、（Ｂ）はレバーを吸着解除方向に倒した状態での吸盤本体の一部破断正面図である。
【発明を実施するための形態】
【００２１】
(1).概要・吸着機構
次に、本願発明の実施形態を図面に基づいて説明する。例えば図１のとおり、本実施形態の吸盤式スタンド装置は同一形態の２つの吸盤本体１を有しており、２つの吸盤本体１が互いに姿勢を逆にした状態で棒状の連結具（ジョイント）２で接続されている。連結具２は緩く弓形に湾曲しており、両端にボール部３が形成されている。連結具２はその中間部が太くなるように膨れているが、ストレート形状であってもよい。
【００２２】
図６（Ａ）に示すように、吸盤本体１は、ゴムのような軟質材で円板状に形成された吸着板４と、吸着板４に向けて開口した円形で椀形のカップ体５と、吸着板４を後退・前進させて吸着・吸着解除を行う回動式のレバー６とを有している。レバー６は操作手段の一例である。実施形態のカップ体５と連結具２とは樹脂製であるが、金属製とすることも可能である。なお、カップ体はベース体と呼ぶことも可能である。
【００２３】
吸着板４はカップ体５の先端面５ａに重なっていると共に、吸着板４の中央部にはカップ体５の奥側に向けて突出したロッド７が接着等で固定されており、ロッド７がその軸方向に移動することにより、吸着板４が平板状態と凹んだ状態とに移行し、その結果、設置場所や被支持体等のワークに対する吸着・吸着解除が行われる。ロッド７の基端にはフランジ７ａを設けており、フランジ７ａが吸着板４に固着されている。なお、フランジ７ａを吸着板４に部分的に埋め込むことも可能である。
【００２４】
カップ体５のうち開口部と反対側の外には、軸心８を横切る姿勢に長く延びる細長いランド部９が突設されており、このランド部９に、ロッド７がスライド自在に嵌まるロッド保持部１０と、連結具２のボール部３が嵌まる凹部１１とを形成している。換言すると、ロッド保持部１０と凹部１１とでランド部９が構成されている。ロッド７は吸着板４と同心に配置されているので、ロッド支持部１０もカップ体５の軸心８と同心に形成されている。他方、凹部１１は、カップ体５の軸心８から半径外側（放射方向の外側）にずれた位置に形成されている。
【００２５】
図４（Ｃ）に示すように、ロッド保持部１０は、カップ体５の軸心８の方向から見てランド部９の長手軸線１２の方向に長い略長方形先端が半円状のＵ型）になっている。そして、ロッド７の先端部に、ランド部９の長手軸線１２と直交した方向に長い支持ピン１４を挿通している一方、ランド部９のロッド保持部１０には、支持ピン１４のスライドを許容する長穴１５が空いている。従って、長穴１５は、ランド部９の長手軸線１２と直交した方向に向いた方向に開口している。吸着板４の最大移動ストロークは支持ピン１４と長穴１５とで規制されている。
【００２６】
ロッド保持部１０には、ロッド７がスライド自在に嵌まるように中空穴１６がカップ体５の内部に向けて開口しているが、中空穴１６のうち長穴１５の端よりも吸着板４に寄った部分を大径部１６ａと成して、大径部１６ａの段差面とロッド７のフランジ７１ａとの間にばね（圧縮コイルばね）１７を介在させている。従って、ロッド７はばね１７によってカップ体５から離れる方向（吸着解除方向）に付勢されている。
【００２７】
(2).吸着機構の詳細
支持ピン１４の両端はロッド保持部１０の外側に突出している。一方、レバー６は支持ピン１４の軸心方向から見て概ね外側に湾曲した形態であり、このレバー６にはロッド保持部１０を挟む二股部６ａが形成されており、二股部６ａに支持ピン１４が挿通している。そして、レバー６の二股部６ａに、吸着板４を平板状に保持する第１カム面１８と、吸着板４をカップ体５の奥部に向けて引き込んだ状態に保持する第２カム面１９とを形成している。両カム面１８，１９は、支持ピン１４の軸心方向から見て概ね直交している。
【００２８】
そして、図６（Ｂ）に表示しているように、支持ピン１４の軸心から第１カム面１８までの距離Ｅ１よりも、支持ピン１４の軸心から第２カム面１９までの距離Ｅ２が大きくなっている。このため、レバー６を倒して第２カム面１９をカップ体５の頂面に当てると、図６（Ａ）のように吸着板４はその中央部がカップ体５の底面に寄るように大きく凹み変形する。このときの吸着作用により、吸盤本体１はワークに対して強力に固定される。
【００２９】
第１カム面１８がカップ体５の頂面５ｂに当たった状態では、カップ体５の内部は基本的には減圧状態になっていないが、吸着板４の変形が若干残ることで減圧状態が維持されることがあり、すると、吸盤本体１をワークから取り外しにくい場合である。そこで本実施形態では、図６（Ｂ）に示すように、レバー６を吸着方向と反対側に起こし回動できるように設定しており、これにより、図６（Ｂ）に一点差線で示すように、吸着板４を僅かながらカップ体５と反対側に突出した状態に変形させることができて、吸着状態を確実に解除することができる。
【００３０】
更に正確に述べると、第１カム面１８がカップ体５の頂面５ｂに当たった状態で、支持ピン１４と長穴１５の下端との間には僅かの隙間が空いていると共に、第２カム面１９の後ろ側の部分２０から支持ピン１４の軸心までの距離Ｅ３は僅かながらＥ１より小さくなっており、このため、レバー６を起こすと、吸着板４はばね１７によって僅かながらカップ体５と反対側に突き出される状態になる。このような吸着解除を確実化する手段を講じているのは、本実施形態の利点の一つである。
【００３１】
なお、第１カム面１８と第２カム面１９との境界であるコーナー部から支持ピン１４の軸心までの距離は、支持ピン１４の軸心から第１カム面１８及び第２カム面１９までの距離よりも大きくなっている。このため、第１カム面１８と第２カム面１９との間に移行させるには、ロッド７をばね１７に抗していったん大きく引き上げねばならず（支点超えさせねばならず）、このため、レバー６が吸着状態から吸着解除状態に簡単に移行することはない。
【００３２】
(3).クランプ機構
レバー６が嵌まる凹部１１は連結具２におけるボール部３の外径の８割程度の深さであり、開口縁はくびれている。このため、ボール部３が簡単に抜けることはない。また、連結具２はその軸心回りに自在に回転させ得ると共に、任意の方向に倒すことができる。敢えて述べるまでもないが、内面は概ねボール部３の曲率に合わせた曲面になっている。
【００３３】
例えば図２に示すように、凹部１１にはこれを分断するスリット２０が形成されており、スリット２０を挟んだ両側に横向き張り出し部２１，２２を外向き突設し、外側の横向き張り出し部２２に摘まみ２３を設けている。摘まみ２３のうち人が指を当てる部分は大径になっている。
【００３４】
図６（Ｂ）のとおり、２つの横向き張り出し部２１，２２には摘まみ２３の方に向いたビス２４が回転不能で外向き抜け不能に保持されている一方、摘まみ２３にはビス２４に螺合するナット２５がインサート成形で一体に固定されている。従って、摘まみ２３をねじ込むと２つの横向き張り出し部２１，２２の間隔が狭まって、連結具２のボール部３は凹部１１によって強く挟持される。ビス２４は六角頭を有しており、六角頭が内側の横向き張り出し部２１に回転不能に保持されている。
【００３５】
摘まみ２３を緩め切ると、凹部１１は多少は撓み変形できる自然状態になる。このため、凹部１１を弾性変形させてボール部３を抜き外したり、逆にボール部３を嵌め込んだりすることができる。従って、連結具２の着脱は容易である。ねじ式の摘まみ２３はクランプ手段の一例であるが、クランプ手段としては、ねじ式の摘まみ２３に代えて、回動式のレバーなども採用できる。
【００３６】
(4).まとめ
既に説明したとおり、一方の吸盤本体１を設置場所（例えばテーブル）に吸着固定し、他方の吸盤本体１に被支持体（例えばタブレット型電子端末機器）を吸着固定することができる。設置場所への固定も被支持体の取り付けも吸着で行うものであるため、被支持体は取り付け部が平滑面であれば、重量が許す限り何でも取り付けできる。換言すると、裏面が平滑面になっている物品の大半を取り付けることができる。このため、支持できる物品の範囲は著しく広く、従来ない良い使い勝手を得ることができる。
【００３７】
また、連結具２は２つの吸盤本体１に対して任意の姿勢に倒すことができると共に軸心回りにも回転自在であるため、２つの吸盤本体１の吸着面の相対的な姿勢と位置とを自在に変えることができる。従って、タブレット端末を例に取ると、タブレット端末の画面をずらしながら隣の人に向けたり、１８０度水平旋回させて画面を向かい合った人に向けたりすることも簡単にできる。このため、非常に重宝である。
【００３８】
スタンド装置の取り付け位置は使用者が目的に応じて任意に選択できる。例えば壁に取り付けて、照明具や案内板の支持に供するといったことも可能である。車両のダッシュボードに吸着固定して携帯式ナビを取り付けたり、鉄道車両のテーブルに吸着固定して携帯式テレビを取り付けるといったことも可能である。
【００３９】
本実施形態のように２つの吸盤本体１を使用する場合、同一の吸盤本体１を使用すると、量産効果によってコストダウンできると共に、部材管理の手間も抑制できる利点がある。もとより、大きさが異なる吸盤本体１を使用することも可能である。
【００４０】
(5).その他
本願発明は、上記の実施形態の他にも様々に具体化できる。例えば、吸盤本体１は１個だけ使用して、連結具の一端部を吸盤本体に取り付けて、連結具の他端部に被支持体を直接に又は中間部材を介して間接的に取り付けることも可能である。２個の吸盤本体を使用する場合、被支持体を吸盤本体１に直接に取り付けずに、中間部材を介して吸盤本体に取り付けることも可能である。
【００４１】
連結具も様々な形態に具体化できる。例えば、他端にクランプ機能を保持することも可能である。更に、吸盤本体の操作手段は実施形態のような回動式レバーには限らず、回転式の摘まみやダイアルなども採用できる。レバーを採用する場合、吸盤本体の外周方向に回転するタイプを採用することも可能である。
【産業上の利用可能性】
【００４２】
本願発明は吸盤式スタンド装置に具体化できる。従って、産業上利用できる。
【符号の説明】
【００４３】
１  吸盤本体
２  連結具（ジョイント）
３  ボール部
４  吸着板
５  カップ体
６  レバー
７  ロッド
９  ランド部
１０  ロッド保持部
１１  凹部
１４  支持ピン
１５  長穴
１８，１９  カム面
２１，２２  横向き張り出し部
２３  クランプ手段の一例としてのねじ式摘まみ
【図１】
2014066319.tif 000003
【図２】
2014066319.tif 000004
【図３】
2014066319.tif 000005
【図４】
2014066319.tif 000006
【図５】
2014066319.tif 000007
【図６】
2014066319.tif 000008